(57)【要約】【課題】  高吸水性を有し、かつ連続使用性の高い敷物を提供する。【解決手段】  高吸水性の繊維もしくは不織布からなる糸と高弾性の繊維もしくは不織布からなる糸を接触させてカットパイル（パイル織）を形成し、基布表面からカットパイルの先端までの長さは、高吸水性の糸を高弾性の糸より長くした。【選択図】  図１
2005224461.tif 000002
【特許請求の範囲】
【請求項１】
高吸水性の繊維もしくは不織布からなる糸と高弾性の繊維もしくは不織布からなる糸を用いて織布したことを特徴とする敷物。
【請求項２】
高吸水性の繊維もしくは不織布からなる糸と高弾性の繊維もしくは不織布からなる糸を接触させてパイル織を形成したことを特徴とする敷物。
【請求項３】
基布表面からパイル織の先端までの長さは、高吸水性の糸を高弾性の糸より長くしたことを特徴とする請求項２記載の敷物。
【請求項４】
基布の支持孔に上記高吸水性の糸と高弾性の糸とを重ねて挿通してパイル織を構成したことを特徴とする請求項２もしくは３記載の敷物。
【発明の詳細な説明】
【技術分野】
【０００１】
本発明は、例えばカーペット、ラグ、バスマットなどの敷物に関し、特に浴室の出入口等に敷いて、足に付着した水分を取り除く吸水性に優れたバスマットに関するものである。
【背景技術】
【０００２】
一般に従来のバスマットは、外観の美的化あるいはクッション性等の感触性に重点を置いたものが多く、本来、バスマットに必要とされる機能、すなわち、吸水性、濡れ戻り感が少ないこと、乾燥性を満足させるものは少なかった。
【０００３】
これに対し、上記バスマットの機能を重視したものとして、表面に疎水性繊維で、裏面に吸水性繊維で、両面ともループパイルにしたバスマットが提案されている（特許文献１参照。）。
【０００４】
しかしながら、これもバスマットの表面が疎水性繊維であることから、吸水性繊維が直接肌に当たらず、結局、吸水性が不十分で、水滴が吸収された感触に乏しい点で課題を有する。
【特許文献１】特開平５−１６１５５９号公報
【発明の開示】
【発明が解決しようとする課題】
【０００５】
この課題を解決するため、使い捨てのおむつ等に使用する高吸水性の不織布からなる紐状の糸を用いてカットパイルを構成し、このカットパイルが直接、足等の肌に接触して吸水するよう試みたが、不織布からなるカットパイルが体重で押しつぶされ、原形復帰するまでに時間を要するとともに、場合によっては、元に戻らないことが起こる等、必要とするバスマットの機能を満足するものにはならなかった。
【０００６】
本発明は、強い吸水性を有し、かつ復元力が強くて連続使用に耐えるバスマット（敷物）を提供するものである。
【課題を解決するための手段】
【０００７】
上記の目的を達成するために、本発明の敷物は、高吸水性の繊維もしくは不織布からなる糸と高弾性の繊維もしくは不織布からなる糸を用いて織布したことを特徴とする。
【０００８】
また、高吸水性の繊維もしくは不織布からなる糸と高弾性の繊維もしくは不織布からなる糸を接触させてパイル織を形成したことを特徴とする。
【０００９】
さらに、基布表面からパイルの先端までの長さは、高吸水性の糸を高弾性の糸より長くしたことを特徴とする。
【発明の効果】
【００１０】
本発明の敷物によれば、高吸水性の繊維もしくは不織布からなる糸と高弾性の繊維もしくは不織布からなる糸を接触して織布又はパイル織を形成することにより、肌の水分を直接、吸水性の高い糸に接触させて吸水すると共に、弾性の高い糸により近接して吸水性の高い糸を支持しているため、吸水性の高い糸が吸水して湿潤し、重さで倒れこむようなことがなく、変形を極力抑制して連続使用を向上する効果を奏するものである。
【発明を実施するための最良の形態】
【００１１】
以下に、本発明の敷物である一実施形態のバスマットを図面を参照しながら説明する。図１〜４において、バスマット１は、平織のポリプロピレン製糸で形成された基布２とこの基布２に形成された支持孔３に吸水性糸５と支持糸６を重ねてＵ字状に挿通し、基布２の一方の面に形成したカットパイル４とで構成されている。
【００１２】
吸水性糸５は、レーヨン７０％とポリエステル３０％とからなる材料が用いられ、薄いシート状不織布を巻き付けるか、折りたたんだ紐状の糸で構成されており、吸水性は、素材の体積と比較して、9倍程度の体積の水を保水する能力を有している。支持糸６は、アクリルやポリエステルやナイロン等の合成繊維、綿、またはウールからなる材料が用いられており、吸水性糸５に近接して配設されることにより、支持糸６の持つ弾性によって吸水性糸５の倒れ、変形を抑制する。
【００１３】
基布２の表面に突出した吸水性糸５と支持糸６からなるカットパイル4は、支持糸６より吸水性糸５の方が若干長く形成されており、バスマット１に足が載った時に、水分を含んだ足が真っ先に吸水性糸５に接触し、足の水分を吸水するよう構成されている。
【００１４】
前記カットパイル４の先端を切り揃え、吸水性糸５の長さを支持糸６の長さより長くするには、次のような方法で行う。すなわち、吸水性糸５と支持糸６を基布２の支持孔３に挿通して開放端５ａ、６ａを基布２の一面（表面）に出し揃える製造工程では、基布２の表面からの長さは不揃いであるが、これを一定の長さになるよう切り揃えるために、基布２の表面から所定距離離れた位置で、基布２の表面に平行に電動カッター７（図２）を回転させながら移動して吸水性糸５と支持糸６の開放端を切断してカットパイル４を形成する。
【００１５】
この吸水性糸５と支持糸６の開放端５ａ、６ａを切断してカットパイル４を形成する際、両糸５、６を同時に一緒に切断しても、支持糸６の方が吸水性糸５より弾性が高いため、切断時の摩擦力で伸長し、切断後は、短縮することから、基布２からの長さは、吸水性糸５に対して、支持糸６の方が短く形成される。この方法は、カットパイル４の長さを吸水性糸５の方を長く形成することが容易に実行できる利点があるが、この方法に依らなくてもよいことは言うまでもない。
【００１６】
上記構成において、本実施形態におけるバスマットによる吸水のメカニズムを説明する。すなわち、水分が付着した足等の肌がバスマット１に接触すると、吸水性糸５の方が支持糸６より毛足が長いため、吸水性糸５がまず接触する。そして高い吸水性から即座に肌に付着した水分が吸水される。この吸水性糸５の吸水性は、素材体積の９倍の体積の水分を吸収可能である。吸水性糸５に吸収された水分は、毛細管現象により分散し、蒸発し、時間と共に消失するが、一時的に多量の水分を吸収して膨潤し、重くなった吸水性糸５が倒れ込むことに対しては、弾性の高い支持糸６が吸水性糸５に近接して位置し、吸水性糸５を支持することにより、カットパイル４の腰を強くし、変形を抑制して連続使用を可能にできる。この場合、支持糸６による吸水性糸５の支持機能は、本実施形態のように吸水性糸５が支持糸６より長くなくてもよいことは言うまでもない。
【００１７】
なお、本実施形態においては、パイル織のうち切毛が形成されるカットパイルにより敷物（バスマット１）を形成していたが、輪奈が形成されるアンカットパイルにより敷物を形成しても良い。
【００１８】
さらに、本実施形態においては、カットパイルによるタフテッド型バスマットについて説明したが、吸水性不織布と弾性の大きい支持糸を織り込む（平織型）ことによって、上記支持糸が吸水性素材の適所適所を拘束して支持し、これにより吸水性素材の変形を防ぎ、復元性を向上して連続使用性を向上することも可能である。
【産業上の利用可能性】
【００１９】
本発明は、吸水性素材と弾性素材とを適切に組合わすことにより、バス用品のみならず、吸水性、かつ連続使用性を必要とする広い分野に応用することができる。
【図面の簡単な説明】
【００２０】
【図１】本発明の一実施形態におけるバスマットの要部斜視図である。
【図２】本発明の一実施形態におけるバスマットの製造工程における断面図である。
【図３】本発明の一実施形態におけるバスマットの要部断面図（図４におけるＡ−Ａ断面図）である。
【図４】本発明の一実施形態におけるバスマットで、図３におけるＡ−Ａ断面矢視図である。
【符号の説明】
【００２１】
１    バスマット（敷物）
２    基布
３    支持孔
４    カットパイル
５    高吸水性繊維もしくは不織布からなる糸（高吸水性糸）
６    高弾性繊維もしくは不織布からなる糸（支持糸）
５ａ、６ａ    開放端
【図１】
2005224461.tif 000003
【図２】
2005224461.tif 000004
【図３】
2005224461.tif 000005
【図４】
2005224461.tif 000006